(57)【特許請求の範囲】
【請求項１】
個人識別情報を有する個人識別情報発生装置と接続可能であり、上記個人識別情報発生装置から個人識別情報を入力し、入力された個人識別情報に応じて装置の起動画面、起動画面に表示する文字情報、起動画面の表示時間、起動画面の表示色、起動時に出力する音声データ、および起動時に出力する音声の音程のうちのいずれかの設定状態を決定する個人識別部、及び上記装置の起動画面、起動画面に表示する文字情報、起動画面の表示時間、起動画面の表示色、起動時に出力する音声データ、および起動時に出力する音声の音程のうちのいずれかの設定状態を、上記個人識別部で決定された設定状態に基づいて制御する動作制御部を備えたことを特徴とする個人適応型装置。
【請求項２】
個人識別部は、個人識別情報と上記個人識別情報に対応する装置の起動画面、起動画面に表示する文字情報、起動画面の表示時間、起動画面の表示色、起動時に出力する音声データ、および起動時に出力する音声の音程のうちのいずれかの設定状態を記憶する記憶手段を備え、個人識別情報発生装置より入力された個人識別情報と上記記憶手段に記憶された個人識別情報とを比較し、一致する個人識別情報に対応する上記記憶手段に記憶された設定状態を上記装置の起動画面、起動画面に表示する文字情報、起動画面の表示時間、起動画面の表示色、起動時に出力する音声データ、および起動時に出力する音声の音程のうちのいずれかの設定状態として決定することを特徴とする請求項１記載の個人適応型装置。
【請求項３】
記憶手段に記憶された個人識別情報または上記個人識別情報に対応する装置の起動画面、起動画面に表示する文字情報、起動画面の表示時間、起動画面の表示色、起動時に出力する音声データ、および起動時に出力する音声の音程のうちのいずれかの設定状態を追加または変更する手段を備えたことを特徴とする請求項２記載の個人適応型装置。
【請求項４】
記憶手段に記憶された個人識別情報に対応する装置の起動画面、起動画面に表示する文字情報、起動画面の表示時間、起動画面の表示色、起動時に出力する音声データ、および起動時に出力する音声の音程のいずれかの設定状態は、予め定められた複数の、装置の起動画面、起動画面に表示する文字情報、起動画面の表示時間、起動画面の表示色、起動時に出力する音声データ、および起動時に出力する音声の音程のうちのいずれかの設定状態の中の１つを指定する設定状態識別コードにより記憶されていることを特徴とする請求項２記載の個人適応型装置。
【請求項５】
個人識別情報と上記個人識別情報に対応する装置の起動画面、起動画面に表示する文字情報、起動画面の表示時間、起動画面の表示色、起動時に出力する音声データ、および起動時に出力する音声の音程のうちのいずれかの設定情報を記憶する情報配信機器と通信可能な通信手段を有し、個人識別部は、上記通信手段を介して、個人識別情報発生装置から入力した個人識別情報を上記情報配信機器に送信するとともに、上記情報配信機器より上記個人識別情報に対応した上記装置の起動画面、起動画面に表示する文字情報、起動画面の表示時間、起動画面の表示色、起動時に出力する音声データ、および起動時に出力する音声の音程のうちのいずれかの設定情報を受信することにより上記装置の起動画面、起動画面に表示する文字情報、起動画面の表示時間、起動画面の表示色、起動時に出力する音声データ、および起動時に出力する音声の音程のうちのいずれかの設定状態を決定することを特徴とする請求項１記載の個人適応型装置。
【請求項６】
個人識別情報を有するとともに、通信手段を有する個人識別情報発生装置と接続可能であり、上記個人識別情報発生装置から個人識別情報を入力し、上記個人識別情報発生装置の上記通信手段を介して、上記個人識別情報発生装置から入力された個人識別情報を、個人識別情報と上記個人識別情報に対応する装置の起動画面、起動画面に表示する文字情報、起動画面の表示時間、起動画面の表示色、起動時に出力する音声データ、および起動時に出力する音声の音程のうちのいずれかの設定情報を記憶する情報配信機器に送信し、上記情報配信機器より、上記個人識別情報発生装置の上記通信手段を介して上記個人識別情報に対応した装置の起動画面、起動画面に表示する文字情報、起動画面の表示時間、起動画面の表示色、起動時に出力する音声データ、および起動時に出力する音声の音程のうちのいずれかの設定情報を受信する個人識別部、及び上記装置の起動画面、起動画面に表示する文字情報、起動画面の表示時間、起動画面の表示色、起動時に出力する音声データ、および起動時に出力する音声の音程のうちのいずれかの設定状態を、上記個人識別部で受信された設定情報に基づいて制御する動作制御部を備えたことを特徴とする個人適応型装置。
【請求項７】
装置の起動画面、起動画面に表示する文字情報、起動画面の表示時間、起動画面の表示色、起動時に出力する音声データ、および起動時に出力する音声の音程のうちのいずれかの設定情報を記憶する個人識別情報発生装置と接続可能であり、上記個人識別情報発生装置から上記装置の起動画面、起動画面に表示する文字情報、起動画面の表示時間、起動画面の表示色、起動時に出力する音声データ、および起動時に出力する音声の音程のうちのいずれかの設定情報を入力する入力部、及び上記装置の起動画面、起動画面に表示する文字情報、起動画面の表示時間、起動画面の表示色、起動時に出力する音声データ、および起動時に出力する音声の音程のうちのいずれかの設定状態を、入力された設定情報に基づいて制御する動作制御部を備えたことを特徴とする個人適応型装置。
【請求項８】
個人識別情報を有するとともに、通信手段を有する個人識別情報発生装置と接続可能であり、上記個人識別情報発生装置に対して、個人識別情報と上記個人識別情報に対応する装置の起動画面、起動画面に表示する文字情報、起動画面の表示時間、起動画面の表示色、起動時に出力する音声データ、および起動時に出力する音声の音程のうちのいずれかの設定情報を記憶する情報配信機器に、上記個人識別情報を送信する指令を出すとともに、上記情報配信機器より上記個人識別情報発生装置の上記通信手段を介して送信された、上記個人識別情報に対応した装置の起動画面、起動画面に表示する文字情報、起動画面の表示時間、起動画面の表示色、起動時に出力する音声データ、および起動時に出力する音声の音程のうちのいずれかの設定情報を入力する入出力部、及び装置の起動画面、起動画面に表示する文字情報、起動画面の表示時間、起動画面の表示色、起動時に出力する音声データ、および起動時に出力する音声の音程のうちのいずれかの設定状態を、入力された設定情報に基づいて制御する動作制御部を備えたことを特徴とする個人適応型装置。
【請求項９】
装置機種識別情報を有し、上記装置機種識別情報を個人識別情報発生装置または情報配信機器に出力し、上記個人識別情報発生装置または上記情報配信機器より上記装置機種識別情報に対応する装置の設定情報を得ることを特徴とする請求項５、６および８いずれか１項に記載の個人適応型装置。
【請求項１０】
個人識別情報発生装置または情報配信機器より入力される設定情報の中より、処理することができる設定情報のみを抜き出すようにしたことを特徴とする請求項５、６および８のいずれか１項に記載の個人適応型装置。
【請求項１１】
個人識別情報と上記個人識別情報に対応する個人適応型装置の起動画面、起動画面に表示する文字情報、起動画面の表示時間、起動画面の表示色、起動時に出力する音声データ、および起動時に出力する音声の音程のうちのいずれかの設定情報を記憶する記憶手段、個人適応型装置または個人識別情報発生装置より個人識別情報を受信する受信手段、受信した個人識別情報と上記記憶手段に記憶された個人識別情報とを比較し、一致する個人識別情報に対応する起動画面、起動画面に表示する文字情報、起動画面の表示時間、起動画面の表示色、起動時に出力する音声データ、および起動時に出力する音声の音程のうちのいずれかの設定情報を上記記憶手段より読み出す読出手段、及び読み出された設定情報を上記個人適応型装置または上記個人識別情報発生装置に送信する送信手段を備えたことを特徴とする情報配信機器。
【請求項１２】
受信手段は、個人適応型装置または個人識別情報発生装置より上記個人適応型装置の装置機種識別情報と個人識別情報とを受信し、読出手段は、上記装置機種識別情報と上記個人識別情報とに対応する装置の起動画面、起動画面に表示する文字情報、起動画面の表示時間、起動画面の表示色、起動時に出力する音声データ、および起動時に出力する音声の音程のうちのいずれかの設定情報を記憶手段より読み出すことを特徴とする請求項１１記載の情報配信機器。
【請求項１３】
個人識別部は、入力された個人識別情報に応じて装置の画面に表示される地図の色の設定状態を決定し、動作制御部は、上記装置の画面に表示される地図の色の設定状態を、上記個人識別部で決定された設定状態に基づいて制御することを特徴とする請求項１に記載の個人適応型装置。
【請求項１４】
個人識別部は、個人識別情報発生装置の通信手段を介して個人識別情報を、個人識別情報と上記個人識別情報に対応する装置の画面に表示される地図の色の設定情報を記憶する情報配信機器に送信し、上記情報配信機器より、上記個人識別情報発生装置の上記通信手段を介して上記個人識別情報に対応した装置の画面に表示される地図の色の設定情報を受信し、動作制御部は、上記装置の画面に表示される地図の色の設定状態を、上記個人識別部で受信された設定状態に基づいて制御する動作制御部を備えたことを特徴とする請求項６に記載の個人適応型装置。
【請求項１５】
装置の画面に表示される地図の色の設定情報を記憶する個人識別情報発生装置と接続可能であり、入力部は、上記個人識別情報発生装置から上記装置の画面に表示される地図の色の設定情報を入力し、動作制御部は、上記装置の画面に表示される地図の色の設定状態を、入力された設定情報に基づいて制御する動作制御部を備えたことを特徴とする請求項７に記載の個人適応型装置。
【請求項１６】
入出力部は、個人識別情報発生装置に対して、個人識別情報と上記個人識別情報に対応する装置の画面に表示される地図の色の設定情報を記憶する情報配信機器に、上記個人識別情報を送信する指令を出すとともに、上記情報配信機器より上記個人識別情報発生装置の上記通信手段を介して送信された、上記個人識別情報に対応した装置の画面に表示される地図の色の設定情報を入力し、動作制御部は、上記装置の画面に表示される地図の色の設定状態を、入力された設定情報に基づいて制御することを特徴とする請求項８に記載の個人適応型装置。
【発明の詳細な説明】
【０００１】
【発明の属する技術分野】
本発明は、装置の利用者が特別な操作をすることなく、自動的に利用者に適応した動作に変更できる個人適応型装置、及びこのような個人適応型装置を支援する情報配信機器に関するものである。例えば、車載装置においては、一般乗用車に搭載されているカーナビゲーションシステム、シート位置、ミラー位置等の制御や、エンジン制御等を行う各種コントローラに対して適するものである。また、ＰＤＡ（Ｐｅｒｓｏｎａｌ  Ｄｉｇｉｔａｌ  Ａｓｓｉｓｔａｎｔ）やパソコン等の情報端末装置に対しても、表示画面や出力音声等の設定の制御に適するものである。
【０００２】
【従来の技術】
従来のカーナビゲーションシステムでは、起動時に表示される起動画面やカーナビゲーションシステムが表示する地図の色等を利用者が変更することはできなかった。しかし最近のカーナビゲーションシステムでは、メモリカードに記録された起動画面を読み出したり、地図色の設定を複数用意しておくことにより、利用者が自分の好みの画面設定に変更できるようになってきた。
例えば、松下通信工業／松下電器産業製のＤＶＤカーナビゲーションシステム「ＣＮ−ＤＶ２５２０ＩＸＤ」では、スマートメディアカードに記録された画像データファイル名をカーナビゲーションシステムのユーザ設定変更機能によって選択することにより、起動画面の変更が可能である。
また、上記製品では、カーナビゲーションシステムが表示する地図色を「ソフト」、「パステル」、「ポップ」、「ディマー」の４種類の中から選択できるようになっている。
【０００３】
【発明が解決しようとする課題】
このように、従来装置では装置の利用者が設定状態を自由に選択し、利用者の好みにあった設定とすることができるが、一旦設定した状態を利用者を特定する情報と対応させて記憶していないので、一度でも利用者が変わり、設定を変更すると、再度、前に利用した利用者が上記装置を使おうとした場合に、また一から設定し直さないといけないといった問題があった。
【０００４】
この発明は上記のような問題点を解消するためになされたもので、上記カーナビゲーションシステム等の車載装置に限らず、利用者が特定の者に限定されないで、誰もが利用できるような一般的な汎用装置を、個人で持ち歩くことの可能な個人ＩＤカードや携帯電話等、ポータブルな個人特定手段と組み合わせて、利用者が特別な操作をすることなしに自動的に、利用者に適応した個人用の装置として使用できる個人適応型装置を得ることを目的とする。
また、このような個人適応型装置を支援する情報配信機器を提供することを目的とする。
【０００５】
【課題を解決するための手段】
本発明の個人適応型装置は、個人識別情報を有する個人識別情報発生装置と接続可能であり、上記個人識別情報発生装置から個人識別情報を入力し、入力された個人識別情報に応じて装置の起動画面、起動画面に表示する文字情報、起動画面の表示時間、起動画面の表示色、起動時に出力する音声データ、および起動時に出力する音声の音程のうちのいずれかの設定状態を決定する個人識別部、及び上記装置の起動画面、起動画面に表示する文字情報、起動画面の表示時間、起動画面の表示色、起動時に出力する音声データ、および起動時に出力する音声の音程のうちのいずれかの設定状態を、上記個人識別部で決定された設定状態に基づいて制御する動作制御部を備えたものである。
【００１１】
また、この発明の個人適応型装置は、個人識別情報を有するとともに、通信手段を有する個人識別情報発生装置と接続可能であり、上記個人識別情報発生装置から個人識別情報を入力し、上記個人識別情報発生装置の上記通信手段を介して、上記個人識別情報発生装置から入力された個人識別情報を、個人識別情報と上記個人識別情報に対応する装置の起動画面、起動画面に表示する文字情報、起動画面の表示時間、起動画面の表示色、起動時に出力する音声データ、および起動時に出力する音声の音程のうちのいずれかの設定情報を記憶する情報配信機器に送信し、上記情報配信機器より、上記個人識別情報発生装置の上記通信手段を介して上記個人識別情報に対応した装置の起動画面、起動画面に表示する文字情報、起動画面の表示時間、起動画面の表示色、起動時に出力する音声データ、および起動時に出力する音声の音程のうちのいずれかの設定情報を受信する個人識別部、及び上記装置の起動画面、起動画面に表示する文字情報、起動画面の表示時間、起動画面の表示色、起動時に出力する音声データ、および起動時に出力する音声の音程のうちのいずれかの設定状態を、上記個人識別部で受信された設定状態に基づいて制御する動作制御部を備えたものである。
【００１２】
また、この発明の個人適応型装置は、個人識別情報と上記個人識別情報に対応する個人適応型装置の起動画面、起動画面に表示する文字情報、起動画面の表示時間、起動画面の表示色、起動時に出力する音声データ、および起動時に出力する音声の音程のうちのいずれかの設定情報を記憶する記憶手段、個人適応型装置または個人識別情報発生装置より個人識別情報を受信する受信手段、受信した個人識別情報と上記記憶手段に記憶された個人識別情報とを比較し、一致する個人識別情報に対応する起動画面、起動画面に表示する文字情報、起動画面の表示時間、起動画面の表示色、起動時に出力する音声データ、および起動時に出力する音声の音程のうちのいずれかの設定情報を上記記憶手段より読み出す読出手段、及び読み出された設定情報を上記個人適応型装置または上記個人識別情報発生装置に送信する送信手段を備えたものである。
【００１３】
また、この発明の個人適応型装置は、個人識別情報を有するとともに、通信手段を有する個人識別情報発生装置と接続可能であり、上記個人識別情報発生装置に対して、個人識別情報と上記個人識別情報に対応する装置の起動画面、起動画面に表示する文字情報、起動画面の表示時間、起動画面の表示色、起動時に出力する音声データ、および起動時に出力する音声の音程のうちのいずれかの設定情報を記憶する情報配信機器に、上記個人識別情報を送信する指令を出すとともに、上記情報配信機器より上記個人識別情報発生装置の上記通信手段を介して送信された、上記個人識別情報に対応した装置の起動画面、起動画面に表示する文字情報、起動画面の表示時間、起動画面の表示色、起動時に出力する音声データ、および起動時に出力する音声の音程のうちのいずれかの設定情報を入力する入出力部、及び装置の起動画面、起動画面に表示する文字情報、起動画面の表示時間、起動画面の表示色、起動時に出力する音声データ、および起動時に出力する音声の音程のうちのいずれかの設定状態を、入力された設定情報に基づいて制御する動作制御部を備えたものである。
【００１６】
また、この発明の情報配信機器は、個人識別情報と上記個人識別情報に対応する個人適応型装置の起動画面、起動画面に表示する文字情報、起動画面の表示時間、起動画面の表示色、起動時に出力する音声データ、および起動時に出力する音声の音程のうちのいずれかの設定情報を記憶する記憶手段、個人適応型装置または個人識別情報発生装置より個人識別情報を受信する受信手段、受信した個人識別情報と上記記憶手段に記憶された個人識別情報とを比較し、一致する個人識別情報に対応する起動画面、起動画面に表示する文字情報、起動画面の表示時間、起動画面の表示色、起動時に出力する音声データ、および起動時に出力する音声の音程のうちのいずれかの設定情報を上記記憶手段より読み出す読出手段、及び読み出された設定情報を上記個人適応型装置または上記個人識別情報発生装置に送信する送信手段を備えたものである。
【００１８】
【発明の実施の形態】
実施の形態１．
以下、本発明の実施の形態１を図を用いて説明する。
図１は本発明の実施の形態１による個人適応型装置として、車載装置のカーナビゲーションシステムに適応した例を示す図であり、図１（ａ）はその構成図、図１（ｂ）は実施の形態１に係わるユーザプロファイル情報の例を示す図である。図において、１はカーナビゲーションシステム、２はモニタ部、４は個人ＩＤ番号等の、個人を特定する個人識別情報を有するＩＤカード（個人識別情報発生装置）、３はＩＤカード４に記録された個人ＩＤ番号（個人識別情報）を読みとるＩＤカードリーダである。カーナビゲーションシステム１は、動作制御部１１、個人識別部１２、オープニングモジュール１３から構成される。３０１は個人ＩＤとオープニングパラメータとを対応させたユーザプロファイル情報である。
【００１９】
次にカーナビゲーションシステム１における上記構成要素の動作について説明する。個人識別部１２はＩＤカードリーダ３からＩＤカード４に記載された個人ＩＤを取得し、取得した個人ＩＤから後述の方法でオープニングパラメータを判定し、動作制御部１１に送信する。動作制御部１１は個人識別部１２より送信されるオープニングパラメータをオープニングモジュール１３に送信するとともに、オープニングモジュール１３を起動させる処理を行う。オープニングモジュール１３は、動作制御部１１から送信されてくるオープニングパラメータに従ってオープニング画面用のビットマップファイルを読み出し、モニタ２に表示する処理を行う。
上記オープニングパラメータとは、カーナビゲーションシステムにおいて予め定められた複数のオープニング画面の中の１つを指定する設定状態識別コードであり、オープニングモジュール１３が読み出すビットマップファイル名（例えば、“ｏｐｅｎｉｎｇ１．ｂｍｐ”、“ｏｐｅｎｉｎｇ２．ｂｍｐ”といったもの）を記述したものである。これらビットマップファイルは、カーナビゲーションシステムの起動時に表示されるオープニング画面に使われるファイルであり、予めカーナビゲーションシステム内部に蓄積されている。
【００２０】
ＩＤカードリーダ３は、所定の方法でＩＤカード４の所定の位置に記述された個人ＩＤを読み出す処理を行い、上記個人識別部１２に送信する処理を行う。
【００２１】
上記個人識別部１２のオープニングパラメータ判定処理について、図２のフローチャートを用いて説明する。なお、個人識別部１２は、記憶手段を有し、図１（ｂ）に示すような、予め設定されたユーザプロファイル情報３０１を予め持っているものとする。まず、ステップ１０１でカウンタｎを初期化（ｎ＝１）した後、ＩＤカードリーダ３およびＩＤカード４より取得した個人ＩＤ番号をユーザプロファイル情報のｎ行目の個人ＩＤ列に記載されたＩＤと比較する（ステップ１０２）。それらが一致していれば、ｎ行目のオープニングパラメータ列に記載されたパラメータを、取得した個人ＩＤに対応するオープニングパラメータであると判定する（ステップ１０３）。それらが一致しない場合には、カウンタをインクリメントさせ（ステップ１０４）、個人ＩＤの比較処理（ステップ１０２）に戻り処理を繰り返す。
【００２２】
以上のように、実施の形態１によれば、カーナビゲーションシステム１における個人識別部１２がＩＤカード４に記載された個人ＩＤに対応したオープニング画面を決定し、動作制御部１１が、決定されたオープニング画面になるようにオープニングモジュール１３を制御するので、利用者は利用者自身が持っているＩＤカードをＩＤカードリーダに挿入するだけで、自動的に、利用者に適応した（利用者の好みにあった）カーナビゲーションシステムの起動画面に設定することができる。
【００２３】
なお、本実施の形態では、複数の利用者に対するユーザプロファイル情報３０１を予めカーナビゲーションシステムの個人識別部１２内に記憶している場合を示したが、初期化状態（ユーザプロファイル情報に個人ＩＤが登録されていない状態）から、新しい利用者がＩＤカードを接続する毎に、新しい個人ＩＤとこれに対応するオープニングパラメータを追加した新たなユーザプロファイル情報に更新するようにしてもよい。このようなユーザプロファイル情報の追加更新処理のフローチャートを図３に示す。
【００２４】
まず、ユーザプロファイル情報およびユーザカウンタＵｎの初期化を行った（ステップ１１１）後、ＩＤカードが接続されているかどうかの判定を行う（ステップ１１２）。もし接続されていなければ、接続されるまで判定処理を継続し、接続されたことを判定すると、接続されたＩＤカードの個人ＩＤを読み出し、既存のユーザプロファイル情報にある個人ＩＤ列にこの個人ＩＤが存在するかどうかを判定する（ステップ１１３）。もし、存在していれば、登録されているオープニングパラメータによる設定を行う（ステップ１１７）。存在しなければ、ユーザカウンタをインクリメントした後、個人ＩＤをユーザプロファイル情報のＵｎ行目に追記する処理を行い（ステップ１１４）、ユーザに対して図４に示すようなオープニング画面選択画面を表示させ（ステップ１１５）、ユーザが選択した画面を表示させるともに、該画面のオープニングパラメータをユーザプロファイル情報のＵｎ行目に追加する処理を行う（ステップ１１６）。その後、ＩＤカードが脱着されることを検知する（ステップ１１８）と、ＩＤカードの接続判定処理（ステップ１１２）に戻る。
【００２５】
なお、上記実施の形態１では、オープニングパラメータをオープニング画面用のビットマップファイル名としたが、オープニング画面に表示する文字情報や、オープニング画面の画面表示時間や表示色、オープニング時に出力する音声データのファイル名や音程などであっても構わない。
また、上記実施の形態１では、個人識別部１２において予め設定されたユーザプロファイル情報を用いてオープニングパラメータを決定したが、個人ＩＤ番号の閾値処理によってオープニングパラメータを判定しても構わない。閾値処理としては、例えば個人ＩＤ番号が０００〜０９９（１００未満）であればオープニング画面ファイル名をｏｐｅｎｉｎｇ１．ｂｍｐ、１００〜１９９（１００以上）であればｏｐｅｎｉｎｇ２．ｂｍｐというようにする。
【００２６】
実施の形態２．
上記実施の形態１では、個人識別情報を有する個人識別情報発生装置としてＩＤカードを用い、ＩＤカードリーダにより個人識別情報を得るようにしたが、ＩＤカードリーダおよびＩＤカードの代わりに、個人識別情報発生装置として電話番号などの機器固有番号を持った携帯電話を用いても構わない。図５は本発明の実施の形態２によるカーナビゲーションシステムを示す図であり、図５（ａ）は構成図、図５（ｂ）はユーザプロファイル情報の例を示す図である。図において、５は携帯電話であり、カーナビゲーションシステム１のシリアルポートに接続されている。３０２は携帯電話番号とオープニングパラメータとを対応させたユーザプロファイル情報である。カーナビゲーションシステム１およびモニタ２の構成要素は実施の形態１と同じである。
【００２７】
次に動作について説明する。
図５におけるカーナビゲーションシステム１では、個人識別部１２は携帯電話５よりＡＴコマンドを用いて携帯電話番号を取得し（実際にはコマンド「ＡＴ＆Ｐ」を発行する。）、取得した携帯電話番号に対応するオープニングパラメータを判定し（判定処理については、実施の形態１におけるユーザプロファイル情報３０１の個人ＩＤを携帯電話番号と置き換えることによって説明できるため、詳細の説明を省略する）、判定したオープニングパラメータを動作制御部１１に送信する処理を行う。なお、動作制御部１１およびオープニングモジュール１３の処理は、実施の形態１における処理と同じである。
【００２８】
以上のように、実施の形態２によれば、カーナビゲーションシステム１における個人識別部１２が携帯電話５から電話番号を取得し、取得した電話番号に応じてオープニング画面を決定し、動作制御部１１が、決定されたオープニング画面になるようにオープニングモジュール１３を制御するので、利用者は自分の携帯電話をカーナビゲーションシステムに接続するだけで、自動的に、利用者に適応した（利用者の好みにあった）カーナビゲーションシステムの起動画面に設定することができる。
また、書き換えできるＩＤカードと異なり、携帯電話固有の電話番号を使うことにより、他人にＩＤを書き換えられる心配がなくなる。
さらに、個人識別情報発生装置としての携帯電話は、個人が通常に持ち歩くパーソナル機器であるので、これと接続できるということにより、汎用機器を手軽に個人専用装置に変更できる効果がある。
【００２９】
なお、上記実施の形態２では、携帯電話固有の番号として電話番号を用いたが、電話機の機種番号や、ＧＳＭ携帯電話についているＳＩＭカード（Ｓｕｂｓｃｒｉｂｅｒ  Ｉｄｅｎｔｉｔｙ  Ｍｏｄｕｌｅカード）に記憶されている内部情報を用いても構わない。
【００３０】
実施の形態３．
上記実施の形態２では、カーナビゲーションシステム１の個人識別部内部にユーザプロファイル情報を記憶しているとしているが、携帯電話内に、例えばオープニング画面に関する設定情報をビットマップファイル名で記録しておき、カーナビゲーションシステム１が携帯電話内に記録した上記ビットマップファイル名を取得し、制御動作部１１が取得したビットマップファイル名に従ってオープニング画面を表示するようにしても構わない。
【００３１】
なお、この場合、個人識別部１２は、個人識別情報を入力し、入力された個人識別情報に応じてオープニングパラメータを決定する必要はなく、単に携帯電話からオープニング画面の設定情報を入力する入力部としての機能のみ備えていればよい。装置構成は図５（ａ）と同様であり、個人識別部１２が入力部となる。
【００３２】
本実施の形態３では、カーナビゲーションシステム内部にユーザプロファイル情報を記憶しておく必要がなくなり、カーナビゲーションシステムのメモリ使用量を低減できる。
【００３３】
なお、上記実施の形態３において携帯電話内に装置の設定情報として直接ビットマップファイルを記録しておき、カーナビゲーションシステム１が携帯電話内に記録した上記ビットマップファイルを取得し、制御動作部１１が取得したビットマップファイルに従ってオープニング画面を表示するようにしても構わない。
【００３４】
実施の形態４．
上記実施の形態１〜３では、カーナビゲーションシステム１のオープニングモジュール１３が出力するオープニング画面を利用者に応じて自動的に切り替えるものを示したが、カーナビゲーションシステムが表示する地図の色を利用者に応じて変更するようにしても構わない。このような実施の形態を図６（ａ）（ｂ）に示す。
なお、図において、カーナビゲーションシステム１は、動作制御部１１、個人識別部１２、地図色管理モジュール１４から構成される。３０３は携帯電話番号とカーナビゲーションシステムが表示する地図の色とを定義するパレットパラメータ（複数の表示色の中の１つを指定する設定状態識別コード）とを対応させたユーザプロファイル情報である。
【００３５】
次に動作について説明する。
図６におけるカーナビゲーションシステム１では、個人識別部１２は実施の形態２と同様の方法で携帯電話５から携帯電話番号を取得し、取得した携帯電話番号に対応するパレットパラメータを判定し（判定処理については、実施の形態２におけるユーザプロファイル情報３０２のオープニングパラメータをパレットパラメータと置き換えることによって説明できるため、詳細の説明を省略する）、判定したパレットパラメータを動作制御部１１に送信する処理を行う。動作制御部１１は個人識別部１２から送信されたパレットパラメータを地図色管理モジュール１４に送信する。地図色管理モジュール１４は、送信されたパレットパラメータに従って地図上のオブジェクトの表示色を変更する処理を行う。
なお、上記パレットパラメータとは、図７に示すように、地図上の表示オブジェクト毎に設定された表示色の設定状態のことである。
【００３６】
以上のように、本実施の形態４によれば、カーナビゲーションシステム１における個人識別部１２が携帯電話３から電話番号を取得し、取得した電話番号に応じて表示する地図上のオブジェクトの色を決定し、動作制御部１１が、決定されたオブジェクト色の地図表示になるように地図色管理モジュール１４を制御するので、利用者は自分の携帯電話をカーナビゲーションシステムに接続するだけで、自動的に、利用者に適応した地図表示に設定することができる。
【００３７】
実施の形態５．
上記実施の形態４では、カーナビゲーションシステム１が表示する地図色を変えるのみであったが、接続する携帯電話に、その携帯電話独自の施設情報（地図表示の際に表示する施設の設定情報）を記憶させておき、上記携帯電話から個人別に施設情報を取得することにより、カーナビゲーションシステム１が保有する既存の施設情報に取得した施設情報を追加し、利用者に適応した地図表示に変更して表示するようにしても構わない。このような実施の形態を図８（ａ）（ｂ）（ｃ）に示す。図において、カーナビゲーションシステム１は、動作制御部１１、入力部１５、施設管理モジュール１６から構成される。３０４ａ、３０４ｂは携帯電話５が持っている個人的な施設情報、３０５は施設管理モジュール１６が予め持っている施設管理情報であり、各施設の位置を緯度、経度で表したものである。
【００３８】
次に動作について説明する。
図８において、入力部１５は特定のコマンドを携帯電話５に送信し、携帯電話５内部に記録されている施設情報３０４ａ、３０４ｂを読み出し、読み出した施設情報を動作制御部１１に送信する処理を行う。動作制御部１１は、入力部１５より送信された施設情報を施設管理モジュール１６に送信するとともに、施設管理モジュールに地図表示の更新処理を行わせる処理を行う。施設管理モジュール１６は、動作制御部１１より送信されてきた施設情報を施設管理情報３０５に追加することにより更新処理を行う。携帯電話５は、入力部１５より特定のコマンドが送信されてきた場合に、内部で蓄積している施設情報３０４ａ、３０４ｂを入力部１５に送信する処理を行う。
【００３９】
以上のように、本実施の形態５によれば、カーナビゲーションシステム１における入力部１５が携帯電話５に蓄積された施設情報を読み出し、動作制御部１１が上記施設情報を予めナビゲーションシステムが持っている施設管理情報に追加するように施設管理モジュール１６を制御することにより、個人毎の施設情報も併せて地図表示するようにしたので、利用者に応じた施設情報を提供することが可能となる。
【００４０】
なお、上記実施の形態では施設管理モジュール１６が保有している施設管理情報３０５を更新するとしているが、カーナビゲーションシステム１における登録地点管理モジュールが保有する登録地点管理情報（施設管理情報３０５と同様の形式で管理されている特定の施設管理情報）を更新するとしても構わない。
【００４１】
また、上記実施の形態では、施設管理情報３０５に携帯電話５から取得した施設情報３０４ａ、３０４ｂを追加するとしているが、更新処理をポインタで処理しても構わない。すなわち、取得した施設情報３０４ａ、３０４ｂを蓄積し、施設管理モジュール１６が保有する施設管理情報３０５の最終施設に続く次のアドレスを蓄積した施設情報３０４ａ、３０４ｂのアドレスに設定することによって更新処理してもよい。
【００４２】
実施の形態６．
上記実施の形態１〜５では、個人適応型装置として、車載装置のカーナビゲーションシステムに適応した例を示したが、車載装置の車両制御装置に対して適応しても構わない。このような実施の形態を図９（ａ）（ｂ）に示す。図において、６は車両制御装置、７はシート位置制御装置、２０１は車両ネットワークであり、車両制御装置６と携帯電話５、および車両制御装置６とシート位置制御装置７は車両ネットワーク経由で接続されている。また、車両制御装置６は、動作制御部６１と個人識別部６２と通信部６３から構成されている。３０６は携帯電話番号とシート位置パラメータ（複数のシート位置の中の１つを指定する設定状態識別コード）とを対応させたユーザプロファイル情報である。
【００４３】
次に動作について説明する。
図９における車両制御装置６における個人識別部６２は、車両ネットワーク２０１に接続された携帯電話５に対して、通信部６３を介して携帯電話番号を取得し、実施の形態２と同様の方法で、取得した携帯電話番号に対応したシート位置パラメータを判定し、動作制御部６１に送信する。動作制御部６１は、受信したシート位置パラメータを通信部６３を介して、車両ネットワーク２０１に接続されたシート位置制御装置７に送信し、シート位置の変更を開始させる。シート位置制御装置７は、受信したシート位置パラメータに応じてシート位置を変更する処理を行う。
なお、上記シート位置パラメータとは、例えば、ある基準点からの前後方向の距離、背もたれの角度を記述したものである。
【００４４】
以上のように、本実施の形態によれば、個人識別部６２が携帯電話番号に応じたシート位置を決定し、動作制御部６１が決定されたシート位置になるようにシート位置制御装置７を制御するので、利用者が携帯電話を車両ネットワークに接続するだけで、利用者に適したドライビングポジション（シート位置）を提供でき、安全運転につながる。
【００４５】
なお、上記実施の形態６では、車両制御装置６が制御する装置をシート位置制御装置としているが、携帯電話番号に応じて、エンジン制御装置やミラー位置制御装置等に対する制御を行うようにしてもよい。
【００４６】
また、上記実施の形態６では、通信部６３を介して車両ネットワーク２０１に接続された携帯電話５やシート位置制御装置７と接続されているが、実施の形態２と同様に、通信部６３を介さず直接接続されるものであってもよい。
【００４７】
実施の形態７．
上記実施の形態１、２、４、６では、個人ＩＤまたは携帯電話番号等の個人識別情報と、オープニングパラメータ、パレットパラメータ、シート位置パラメータ等の設定状態識別コードとを対応させたユーザプロファイル情報を車載装置内部に予め記憶しているもの、あるいは新規に上記ユーザプロファイル情報を追加作成するものを示したが、既に指定した上記設定状態識別コードを個人ＩＤまたは携帯電話番号と対応させて更新記憶させることも可能である。このような実施の形態を図１０（ａ）（ｂ）に示す。図において、１７は利用者が押せるプリセットボタン、４０１はオープニング画面選択画面である。
【００４８】
次に動作について説明する。
図１０において、オープニングモジュール１３は、図１０に示すようなオープニング画面選択画面を表示する処理を行う。利用者はカーナビゲーションシステムに付属しているリモコンあるいはタッチパネルなどの入力デバイスを使って利用者の好みの画面を選択し、プリセットボタン１７を押す。オープニングモジュール１３は選択された画面のビットマップファイル名を動作制御部１１に送信する。動作制御部１１は送信されてきたオープニング画面用のビットマップファイル名を個人識別部１２に送信するとともに、個人識別部１２に対してユーザプロファイル情報更新要求を出力する。個人識別部１２は動作制御部１１からユーザプロファイル情報更新要求を受信すると、後述の方法でユーザプロファイル情報３０２の更新処理を行う。
【００４９】
上記個人識別部１２のユーザプロファイル情報の更新処理について、図１１の処理フローチャートを用いて説明する。
まず、個人識別部１２は、動作制御部１１からのユーザプロファイル更新要求を待つ（ステップ１２１）。次に、カウンタｎを初期化（ｎ＝１）した後（ステップ１２２）、カーナビゲーションシステム１に接続されている携帯電話５の電話番号を実施の形態２と同様の方法で取得する（ステップ１２３）。次に、予め記憶されているユーザプロファイル情報３０２のｎ行目の電話番号の列に記述されている番号と携帯電話５から取得した電話番号の比較を行い（ステップ１２４）、比較が一致すれば、ｎ行目のオープニングパラメータであるオープニング画面用のビットマップファイル名を動作制御部１１から送信されてきたビットマップファイル名に置き換え、処理を終了する（ステップ１２５）。もし、比較が不一致であれば、カウンタをインクリメントした（ステップ１２６）後、電話番号の比較処理（ステップ１２４）に戻り処理を継続する。
【００５０】
なお、上記実施の形態７では、オープニング画面の変更のみであるが、実施の形態４、６の場合も同様の処理によって、車載装置の設定動作を変更することが可能である。
【００５１】
また、上記実施の形態７では、オープニング画面選択後、利用者にプリセットボタン１７を押下させるようにしているが、プリセットボタン１７の押下を画面選択処理に置き換えても構わない。
【００５２】
以上のように、実施の形態７によれば、利用者が設定した個人適応型装置（ここではカーナビゲーションシステム）の設定状態識別コードを利用者の個人識別情報（ここでは携帯電話番号）と対応させて更新記憶させるようにしたので、利用者が次に個人適応型装置（カーナビゲーションシステム）を利用する場合には、更新したパラメータに対応する設定状態に自動的に変更できる。
【００５３】
実施の形態８．
上記実施の形態１〜７では、車載装置の動作変更に必要な設定状態識別コード等の設定情報を車載装置内部あるいは個人識別情報発生装置内部に記憶しているものを示したが、携帯電話網等のネットワークにより接続される情報センターに蓄積しておき、ネットワーク経由で蓄積されたパラメータ等の設定情報をダウンロードするようにしても構わない。情報センターへ個人識別情報を送信する方法、及び情報センターから設定情報をダウンロードする方法としては、車載装置内部に情報センターとの通信が可能な通信手段を設け、個人識別部は、上記通信手段を介して、個人識別情報発生装置から入力した個人識別情報を情報センターに送信するとともに、情報センターより上記個人識別情報に対応した装置の設定情報を受信するようにしてもよいし、個人識別情報発生装置が携帯電話のように通信手段を有している場合は、携帯電話を介して、携帯電話より入力した携帯電話番号を情報センターに送信し、情報センターより上記携帯電話番号に対応した装置の設定情報を受信するようにしてもよい。図１２（ａ）（ｂ）（ｃ）は後者の例を示す図である。図において、８は情報センターに設置された情報配信機器（以下、情報センターと記す）、２０２は携帯電話基地局、２０３は一般電話公衆網である。情報センター８は、一般電話公衆網２０３からデータを受信するデータ受信部８１、携帯電話番号等の個人識別情報と上記個人識別情報に対応する設定状態識別コード（装置の設定情報）が蓄積されている個人情報蓄積部８２、個人情報蓄積部８２からデータを読み出す個人情報読出部８３、一般電話公衆網２０３にデータを送信するデータ送信部８４から構成される。３０７は携帯電話番号とオープニングパラメータ（設定状態識別コード）とを対応させたユーザプロファイル情報であり、個人情報蓄積部８２に記憶される。なお、上記オープニングパラメータはビットマップファイル名と動画ファイル名とで構成される。３０８は情報センター８より送信される送信情報（装置の設定情報）であり、携帯電話番号に対応するオープニングパラメータである。
【００５４】
なお、実施の形態８におけるカーナビゲーションシステム１のオープニングモジュール１３は、ＪＰＥＧ（Ｊｏｉｎｔ  Ｐｈｏｔｏｇｒａｐｈｉｃ  Ｃｏｄｉｎｇ  Ｅｘｐｅｒｔｓ  Ｇｒｏｕｐ）ファイルやビットマップファイルのような静止画像は表示できるが、ＭＰＥＧ（Ｍｏｖｉｎｇ  Ｐｉｃｔｕｒｅ  Ｅｘｐｅｒｔｓ  Ｇｒｏｕｐ）２のような動画像は再生できないものとし、動作制御部１１はオープニングモジュール１３の能力を知っているものとする。
【００５５】
次に動作について説明する。
カーナビゲーションシステム１において、個人識別部１２は携帯電話５から前述の方法で携帯電話番号を取得し、取得した電話番号を上記携帯電話５、携帯電話基地局２０２、および一般電話公衆網２０３を介して情報センター８に送信する。また、個人識別部１２は、情報センター８より一般電話公衆網２０３、携帯電話基地局２０２、および携帯電話５を介して送信されてくる情報（装置の設定情報）３０８を受信し、動作制御部１１に送信する処理を行う。動作制御部１１は、個人識別部１２より受信した情報（装置の設定情報）３０８のうち、オープニングモジュール１３が処理することができる情報（本実施の形態では静止画像ファイル名）を抜き出し、オープニングモジュール１３に送信するとともに、オープニングモジュールを起動させる処理を行う。オープニングモジュール１３の処理は実施の形態１と同様であり説明を省略する。
【００５６】
情報センター８では、データ受信部８１がカーナビゲーションシステム１より送信されてくる携帯電話番号を個人情報読出部８３に送信する処理を行う。個人情報読出部８３は、データ受信部８１から送られてくる携帯電話番号と個人情報蓄積部８２に記憶されるユーザプロファイル情報３０７の中の携帯電話番号とを比較し、一致する携帯電話番号に対応するオープニングパラメータを読み出し、読み出されたオープニングパラメータを送信情報（装置の設定情報）３０８としてデータ送信部８４に渡す処理を行う。データ送信部８４は、個人情報読出部８３より送られてくる送信情報（装置の設定情報）３０８を、一般電話公衆網２０３、携帯電話基地局２０２、および携帯電話５を介して、カーナビゲーションシステム１に送信する処理を行う。
【００５７】
以上のように、実施の形態８の個人適応型装置（ここではカーナビゲーションシステム）によれば、個人識別部１２は、携帯電話等の通信手段を有する個人識別情報発生装置から入手した個人識別情報を、通信手段を有する個人識別情報発生装置を介して情報センターに送信し、情報センターは送られてきた個人識別情報に対応する装置の設定情報（ここではオープニングパラメータ）を決定し、決定した設定情報を送信情報として、通信手段を有する個人識別情報発生装置を介してカーナビゲーションシステム等の装置に送信し、カーナビゲーションシステムの個人識別部１２は、送信されてきた設定情報に基づいてシステムの設定状態（ここではオープニング画面）を変更するようにしたので、カーナビゲーションシステム内部にユーザプロファイル情報を記憶しておく必要がなくなり、カーナビゲーションシステムのメモリ使用量を低減できる。また、個人識別情報発生装置内部にもカーナビゲーションシステムの設定情報を記憶しておく必要がなくなり、個人識別情報発生装置のメモリ使用量を低減できる。また、カーナビゲーションシステム以外の装置に適用した場合も同様の効果がある。
【００５８】
なお、上記実施の形態８では、情報センター８から送信する送信情報３０８はビットマップファイル名および動画ファイル名のみであったが、直接、オープニング画面用のビットマップファイルもしくは動画ファイルを情報センターからカーナビゲーションシステム１に送信しても構わない。
【００５９】
また、上記実施の形態８では、情報センター８から送信する送信情報３０８をそのままカーナビゲーションシステム内部に入力するようにしているが、送信情報を一時的に携帯電話に蓄積してもよい。この場合、上述の個人識別情報発生装置のメモリ使用量削減という効果は失われるが、次にカーナビゲーションシステムが携帯電話を介して情報センターに接続した時に、携帯電話内部に蓄積されている送信情報と情報センターに記憶されている送信情報とが同じ情報であれば、送信情報を送信する必要がなくなるため、通信コストを削減するという効果が生まれる。
【００６０】
また、上記実施の形態８では、個人識別部１２から送信する個人識別情報を携帯電話番号としているが、個人の氏名や携帯電話の機種種別番号などであっても構わない。
【００６１】
実施の形態９．
上記実施の形態８の個人適応型装置（カーナビゲーションシステム）においては、個人識別部１２が個人識別情報発生手段から個人識別情報を一旦取得し、取得した個人識別情報を、装置内あるいは個人識別情報発生手段内の通信手段を介して、情報センターに送信することにより装置の設定情報を入手しているが、個人識別情報発生装置が携帯電話等の通信手段を有するものである場合には、個人識別部において個人識別情報の取得は行わず、携帯電話に対して、情報センターに携帯電話番号を送信するように指令を出し、携帯電話番号に対応する装置の設定情報を情報センターから携帯電話に取り込み、携帯電話に取り込まれた上記設定情報を取得するようにしてもよい。
この場合、個人識別部１２は、個人識別情報を入力して個人識別情報を識別する必要はなく、携帯電話に情報センターに携帯電話番号を送信するように指令を出す機能と、携帯電話に取り込まれた装置の設定情報を入力する入力部としての機能とを備えた入出力部としての機能のみあればよい。装置構成は図１２と同様であり、個人識別部１２が入出力部となる。
【００６２】
本実施の形態９においても、実施の形態８と同様、カーナビゲーションシステム内部にユーザプロファイル情報を記憶しておく必要がなくなり、カーナビゲーションシステムのメモリ使用量を低減できる。また、個人識別情報発生装置内部にもカーナビゲーションシステムの設定情報を記憶しておく必要がなくなり、個人識別情報発生装置のメモリ使用量を低減できる。また、カーナビゲーションシステム以外の装置に適用した場合も同様の効果がある。
【００６３】
実施の形態１０．
上記実施の形態８では、情報センター８から送信情報（装置の設定情報）３０８を送信する場合に、一般電話公衆網２０３、携帯電話基地局２０２、および携帯電話５を経由するとしているが、上り方向（カーナビゲーションシステム→情報センター）とは別の経路のネットワークを経由して送信しても構わない。このような実施の形態を図１３に示す。図において、１８は高速データ受信部、２０４はデジタル放送網である。
【００６４】
図１３におけるカーナビゲーションシステム１は、上記実施の形態８の構成の他に、情報センター８からデジタル放送網２０４を介して送信されてくる送信情報を受信する高速データ受信部１８を備えている。また、情報センター８のデータ送信部８４はデジタル放送網２０４と接続されている。
【００６５】
次に動作について説明する。
実施の形態８では、個人識別部１２が情報センター８からの送信情報を受信するようにしているが、本実施の形態１０では、高速データ受信部１８がデジタル放送網２０４を介して情報センター８から送信されてくる送信情報を受信し、動作制御部１１に送信する処理を行う（その他の処理については、実施の形態８と同様）。
【００６６】
情報センター８におけるデータ送信部８４は個人情報読出部８３が生成した送信情報をデジタル放送網経由で、カーナビゲーションシステム１に送信する処理を行う（その他の処理については実施の形態８と同様）。
【００６７】
以上のように、本実施の形態１０によれば、情報センターよりカーナビゲーションシステムに送信する送信情報をデジタル放送網経由で送信できるようにしたので、携帯電話と比較して高速に情報を送信することが可能となる。
【００６８】
なお、上記実施の形態１０では、データ送信部８４が、送信情報をデジタル放送網経由のみにて送信するようにしているが、送信するデータによって一般電話公衆網（携帯電話網）とデジタル放送網を選択的に切り替えて送信するようにしても構わない。
【００６９】
また、上記実施の形態１０では、下り方向（情報センター→カーナビゲーションシステム）のネットワークとしてデジタル放送網を用いたが、ＤＳＲＣ（Ｄｅｄｉｃａｔｔｅｄ  Ｓｈｏｒｔ  Ｒａｎｇｅ  Ｃｏｍｍｕｎｉｃａｔｉｏｎｓ）等の高速ネットワークを用いても構わない。
【００７０】
また、実施の形態９に対して、本実施の形態と同様、下り方向（情報センター→カーナビゲーションシステム）のネットワークとしてデジタル放送網を用いてもよい。
【００７１】
実施の形態１１．
上記実施の形態８、１０では、カーナビゲーションシステム１から情報センター８に送信するのは、携帯電話番号等の個人識別情報だけであったが、カーナビゲーションシステムが保有する端末ＩＤ（装置機種識別情報）を個人識別情報と合わせて送信しても構わない。このような実施の形態を図１４に示す。図において、９はＰＤＡ等の情報端末装置であり、カーナビゲーションシステム１には携帯電話５ａが、情報端末装置９には携帯電話５ｂが接続されている。
上記カーナビゲーションシステム１は、端末ＩＤ「Ｘ００７７」を保有しており、カーナビゲーションシステム１のオープニングモジュール１３は静止画像のみ表示できるモジュールである。
上記情報端末装置９は、ナビアプリケーション部９１、個人識別部９２、および情報端末装置９の動作結果等を出力するモニタ部９３で構成されている。上記ナビアプリケーション部９１は、ナビアプリケーション内部の各モジュールの動作制御を行う動作制御部９１１とナビアプリケーションの起動画面を表示するオープニングモジュール９１２とで構成されている。
また、上記情報端末装置９は、端末ＩＤ「Ｚ０９０９」を保有しており、ナビアプリケーション９１のオープニングモジュール９１２は、静止画像も動画像も表示できるものとする。
３０９は情報センター８より情報端末装置９に送信される送信情報、３１０は情報センター８よりカーナビゲーションシステム１に送信される送信情報である。
【００７２】
次に動作について説明する。
上記カーナビゲーションシステム１における個人識別部１２は、取得した個人識別情報（携帯電話番号）とカーナビゲーションシステム１が保有している装置機種識別情報（端末ＩＤ）とを、携帯電話５ａ、携帯電話基地局２０２、および一般電話公衆網２０３を介して情報センター８に送信する処理を行う。また、個人識別部１２は、情報センター８より一般電話公衆網２０３、携帯電話基地局２０２、および携帯電話５ａを介して送信されてくる情報（装置の設定情報）３１０を受信し、以下、実施の形態８と同様の処理を行う。
【００７３】
上記情報端末装置９における個人識別部９２も同様に、実施の形態２と同様の方法で取得した個人識別情報（携帯電話番号）と情報端末装置９が保有している装置機種識別情報（端末ＩＤ）とを、携帯電話５ｂ、携帯電話基地局２０２、および一般電話公衆網２０３を介して情報センター８に送信する処理を行う。また、個人識別部９２は、情報センター８より一般電話公衆網２０３、携帯電話基地局２０２、および携帯電話５ａを介して送信されてくる情報（装置の設定情報）３０９を受信し、動作制御部９１１に送信する処理を行う。なお、情報端末装置９におけるナビアプリケーション９１の動作制御部９１１およびオープニングモジュール９１２は、カーナビゲーションシステム１における動作制御部１１およびオープニングモジュール１３の動作と同様であるので詳細の説明を省略する。
【００７４】
上記情報センター８におけるデータ受信部８１は、カーナビゲーションシステム１あるいは情報端末装置９から一般電話公衆網２０３を介して送られてくる個人識別情報（携帯電話番号）と装置機種識別情報（端末ＩＤ）を受信し、受信した個人識別情報（携帯電話番号）と装置機種識別情報（端末ＩＤ）を個人情報読出部８３に送信する処理を行う。個人情報読出部８３は、実施の形態８と同様の方法で、受信した個人識別情報（携帯電話番号）と一致する個人識別情報に対応する装置の設定情報をユーザプロファイル情報３０８の中より検索抽出した後、後述の方法で装置機種識別情報（端末ＩＤ）に対応する設定情報を送信情報として抜き出し、データ送信部８４に送信する処理を行う。
【００７５】
上記データ読出部８３における送信情報の生成処理について例を用いて説明する。装置機種識別情報を示す端末ＩＤには端末固有の番号である数字列の先頭に端末種別を示す文字が追加されている（本実施の形態１１の場合は「Ｘ」、「Ｚ」）。データ読出部８３は、この先頭の端末種別文字を参照し、「Ｘであればビットマップファイルのみ、Ｙであれば動画ファイルのみ、Ｚであれば両方」といったルールによって、検索抽出した設定情報の中から端末ＩＤに応じた設定情報を送信情報として生成する。
【００７６】
以上のように、上記実施の形態１１によれば、車載装置や情報端末装置等の装置より端末ＩＤ等の装置機種識別情報を、個人識別情報とともに情報センターに送信し、情報センターが送信されてきた装置機種識別情報および個人識別情報に対応する設定情報を生成し、車載装置や情報端末装置に送信するようにしたので、下り方向（情報センター→装置）のネットワークに不必要なデータを省くことができ、全体としてデータ送信速度を上げることが可能になる。また、実施の形態８と比較して、装置側で情報を間引く必要がなくなるので、装置側の処理負荷を低減できる。
【００７７】
なお、上記実施の形態１１では、下り方向のネットワークとして、携帯電話網を利用するとしているが、実施の形態１０に示すように、デジタル放送等の高速ネットワークに代用しても、両方のネットワークを利用しても構わない。
【００７８】
また、実施の形態３、５、９に対して、本実施の形態と同様、端末ＩＤ等の装置機種識別情報を携帯電話や情報センターに送信し、携帯電話や情報センター側において、送信されてきた装置機種識別情報および個人識別情報に対応する設定情報を生成し、車載装置や情報端末装置に送信するようにしても同様の効果がある。
【００７９】
実施の形態１２．
図１５は本発明の実施の形態１２による個人適応型装置として、テレビに適応した例を示す図であり、図１５（ａ）はその構成図、図１５（ｂ）は実施の形態１２に係わるユーザプロファイル情報の例を示す図、図１５（ｃ）は実施の形態１２に係わる各チャンネル設定パラメータの設定状態を示す図である。図において、１０はテレビ、２０はテレビに付属のリモコンである。テレビ１０は、動作制御部１０１、個人識別部１０２、チャンネル制御部１０３、リモコン受信部１０４、画面表示部１０５から構成される。３１１は携帯電話番号とチャンネル設定パラメータとを対応させたユーザプロファイル情報であり、個人識別部１０２に記憶されている。
【００８０】
次に動作について説明する。
テレビ１０では、個人識別部１０２は実施の形態２と同様の方法で、携帯電話５から電話番号を取得し、取得した携帯電話番号に対するチャンネル設定パラメータ（設定状態識別コード）をユーザプロファイル情報３１１より判定し、判定したチャンネル設定パラメータを動作制御部１０１に送信する処理を行う。動作制御部１０１では、受信したチャンネル設定パラメータをチャンネル制御部１０３に対して送信し、チャンネル制御部１０３が保有している設定状態を、送信されたチャンネル設定パラメータが表す設定状態に更新させる処理を行う。
なお、上記チャンネル設定パラメータとは、図１５（ｃ）に示すように、テレビのチャンネル番号と受信局との設定状態を指定したパラメータであり、予めテレビ内部に、複数のチャンネル設定パラメータにおけるチャンネル番号と受信局との設定状態が記憶されており、この中の１つを指定するものである。
また、リモコン受信部１０４は、リモコン２０より入力されたチャンネル番号をチャンネル制御部１０３に送信する処理を行う。チャンネル制御部１０３は、リモコン受信部１０４より受信したチャンネル番号に対する受信局を、更新されたチャンネル設定パラメータより判定し、画面表示部１０５に対して判定した受信局の映像を表示するように制御する。
【００８１】
以上のように、実施の形態１２によれば、テレビにおける個人識別部が携帯電話から電話番号を取得し、取得した電話番号に応じてチャンネル制御部が参照するチャンネル設定パラメータを変更するようにしたので、テレビを見るものが、特別なシステム設定をしなくても、見るものの好みに応じたチャンネル番号設定を行うことができる。
【００８２】
なお、上記実施の形態１２では、テレビ１０と携帯電話５は有線で接続された例を示しているが、ブルートゥース（Ｂｌｕｅｔｏｏｔｈ）のように無線を介して接続しても構わない。
【００８３】
上記実施の形態１〜１２では、個人識別情報発生装置として、ＩＤカードや携帯電話を用いた場合を説明したが、個人識別情報発生装置として、カーナビゲーションシステムの付属しているリモコンやＥＴＣ装置（Ｅｌｅｃｔｒｏｎｉｃ  Ｔｏｌｌ  Ｃｏｌｌｅｃｔｉｏｎ装置）内部に蓄積されている個人識別情報等を用いても構わない。要は、個人適応型装置と接続可能であり、かつ個人識別情報を有するポータブルなものであれば何でも良い。
【００８４】
また、上記実施の形態１〜１２では、個人適応型装置として、ナビゲーションシステム、車両制御装置、情報端末装置、テレビ等を例に説明したが、その他、複数の利用者が使用する汎用装置に対しても、上記各実施の形態、およびこれら実施の形態を組み合わせたものを適用してもよい。
【００８５】
【発明の効果】
以上のように、この発明の個人適応型装置は、個人識別情報を有する個人識別情報発生装置と接続可能であり、上記個人識別情報発生装置から個人識別情報を入力し、入力された上記個人識別情報に応じて装置の設定状態を決定する個人識別部、及び装置の設定状態を、上記個人識別部で決定された設定状態に基づいて制御する動作制御部を備えたので、誰もが利用できるような一般的な汎用装置を、利用者が特別な操作をすることなしに自動的に、利用者に適応した個人用の装置として使用できる効果がある。
【００８６】
また、この発明の個人適応型装置は、個人識別情報を有する個人識別情報発生装置と接続可能であり、上記個人識別情報発生装置から個人識別情報を入力し、入力された上記個人識別情報に応じて車載装置の設定状態を決定する個人識別部、及び車載装置の設定状態を、上記個人識別部で決定された設定状態に基づいて制御する動作制御部を備えたので、車載装置を利用する利用者の個人差が顕著な場合においても、確実に利用者を識別して、自動的に、利用者に適応したシステム設定に変更され、安全性が向上する効果がある。また、利用者はシステム設定を変更する手間が省ける効果がある。
【００８７】
また、この発明の個人適応型装置は、上記個人適応型装置において、個人識別部は、個人識別情報と上記個人識別情報に対応する装置の設定状態を記憶する記憶手段を備え、個人識別情報発生装置より入力された個人識別情報と上記記憶手段に記憶された個人識別情報とを比較し、一致する個人識別情報に対する設定状態を装置の設定状態として決定するので、装置の設置状態を、個々の利用者が最初に設定した設定状態に自動的に変更でき、再度、装置の設定状態を入力しないですむ効果がある。
【００８８】
また、この発明の個人適応型装置は、上記個人適応型装置において、記憶手段に記憶された個人識別情報または個人識別情報に対応する装置の設定状態を追加または変更する手段を備えたので、新たな利用者に対しても、また利用者の好みが変わっても、利用者に適応したシステム設定ができ、使い勝手の良い装置となる効果がある。
【００８９】
また、この発明の個人適応型装置は、上記個人適応型装置において、記憶手段に記憶された個人識別情報に対応する装置の設定状態は、予め定められた複数の、装置の設定状態の中の１つを指定する設定状態識別コードにより記憶されているので、システムの動作変更を容易に、かつリアルタイムで行うことが可能となる。
【００９０】
また、この発明の個人適応型装置は、上記個人適応型装置において、個人識別情報と上記個人識別情報に対応する装置の設定情報を記憶する情報配信機器と通信可能な通信手段を有し、個人識別部は、上記通信手段を介して、個人識別情報発生装置から入力した個人識別情報を上記情報配信機器に送信するとともに、上記情報配信機器より上記個人識別情報に対応した装置の設定情報を受信することにより装置の設定状態を決定するので、装置側にも個人識別情報発生装置側にも、個人識別情報と個人識別情報に対応する装置の設定情報を持っておかなくてもよいため、メモリ使用量を低減できる効果がある。
【００９１】
また、この発明の個人適応型装置は、上記個人適応型装置において、個人識別部は、個人識別情報を有するとともに、通信手段を有する個人識別情報発生装置と接続可能であり、上記個人識別情報発生装置の上記通信手段を介して、上記個人識別情報発生装置から入力した個人識別情報を、個人識別情報と上記個人識別情報に対応する装置の設定情報を記憶する情報配信機器に送信し、上記情報配信機器より上記個人識別情報に対応した装置の設定情報を受信することにより装置の設定状態を決定するので、装置側にも個人識別情報発生装置側にも、個人識別情報と個人識別情報に対応する装置の設定情報を持っておかなくてもよいため、メモリ使用量を低減できる効果がある。
【００９２】
また、この発明の個人適応型装置は、個人識別情報を有するとともに、装置の設定情報を記憶する個人識別情報発生装置と接続可能であり、上記個人識別情報発生装置から上記設定情報を入力する入力部、及び装置の設定状態を、入力された上記設定情報に基づいて制御する動作制御部を備えたので、装置側に個人識別情報と個人識別情報に対応する装置の設定情報を持っておかなくてもよいため、メモリ使用量を低減できる効果がある。
【００９３】
また、この発明の個人適応型装置は、個人識別情報を有するとともに、通信手段を有する個人識別情報発生装置と接続可能であり、上記個人識別情報発生装置に対して、個人識別情報と上記個人識別情報に対応する装置の設定情報を記憶する情報配信機器に、上記個人識別情報を送信する指令を出すとともに、上記情報配信機器より上記個人識別情報発生装置に取り込まれた装置の設定情報を入力する入出力部、及び装置の設定状態を、入力された上記設定情報に基づいて制御する動作制御部を備えたので、装置側にも個人識別情報発生装置側にも、個人識別情報と個人識別情報に対応する装置の設定情報を持っておかなくてもよいため、メモリ使用量を低減できる効果がある。
【００９４】
また、この発明の個人適応型装置は、上記個人適応型装置において、装置機種識別情報を有し、上記装置機種識別情報を個人識別情報発生装置装置または情報配信機器に出力し、上記個人識別情報発生装置または上記情報配信機器より上記装置機種識別情報に対応する装置の設定情報を得るので、装置側では不要な設定情報を入力しなくても良いため、メモリ使用量を低減できるとともに、制御処理が容易となる効果がある。
【００９５】
また、この発明の個人適応型装置は、上記個人適応型装置において、個人識別情報発生装置または情報配信機器より入力される設定情報の中より、必要な設定情報のみを抜き出すので、装置に対応する設定情報のみを送信させるようにさせなくてもよいため、個人識別情報発生装置または情報配信機器側への負荷を低減できる効果がある。
【００９６】
また、この発明の情報配信機器は、個人識別情報と上記個人識別情報に対応する個人適応型装置の設定情報を記憶する記憶手段、個人適応型装置より個人識別情報を受信する受信手段、受信した個人識別情報と上記記憶手段に記憶された個人識別情報とを比較し、一致する個人識別情報に対応する設定情報を上記記憶手段より読み出す読出手段、及び読み出された上記設定情報を上記個人適応型装置に送信する送信手段を備えたので、一般的な汎用装置を、利用者に適応した個人用の個人適応型装置として使用できるように支援するとともに、上記個人適応型装置の負荷を減らすことが可能となる。
【００９７】
また、この発明の情報配信機器は、上記情報配信機器において、受信手段は、個人適応型装置より上記個人適応型装置の装置機種識別情報と個人識別情報とを受信し、読出手段は、上記装置機種識別情報と個人識別情報とに対応する設定情報を記憶手段より読み出すので、個人適応型装置に送信する情報を可能な限り減らすことができ、送信速度が向上する効果がある。
【図面の簡単な説明】
【図１】  本発明の実施の形態１によるカーナビゲーションシステムを示す図である。
【図２】  本発明の実施の形態１に係わる個人識別部の動作を示すフローチャートである。
【図３】  本発明の実施の形態１に係わるユーザプロファイル情報の追加更新処理を示すフローチャートである。
【図４】  本発明の実施の形態１に係わるオープニング画面選択画面を示す図である。
【図５】  本発明の実施の形態２によるカーナビゲーションシステムを示す図である。
【図６】  本発明の実施の形態４によるカーナビゲーションシステムを示す図である。
【図７】  本発明の実施の形態４に係わるパレットパラメータを示す図である。
【図８】  本発明の実施の形態５によるカーナビゲーションシステムを示す図である。
【図９】  本発明の実施の形態６による車両制御装置を示す図である。
【図１０】  本発明の実施の形態７によるカーナビゲーションシステムを示す図である。
【図１１】  本発明の実施の形態７に係わるユーザプロファイル情報の更新処理を示すフローチャートである。
【図１２】  本発明の実施の形態８によるカーナビゲーションシステムを示す図である。
【図１３】  本発明の実施の形態１０によるカーナビゲーションシステムを示す図である。
【図１４】  本発明の実施の形態１１によるカーナビゲーションシステムおよび情報端末装置を示す図である。
【図１５】  本発明の実施の形態１２によるテレビを示す図である。
【符号の説明】
１  カーナビゲーションシステム、１  モニタ部、３  ＩＤカードリーダ、４ＩＤカード、５  携帯電話、６  車両制御装置、７  シート位置制御装置、８情報センター、９  情報端末装置、１０  テレビ、１１，６１，９１１，１０１  動作制御部、６２，１２，９２，１０２  個人識別部、１３，９１２  オープニングモジュール、１４  地図色管理モジュール、１５  入力部、１６  施設管理モジュール、１７  プリセットボタン、１８  高速データ受信部、２０  リモコン、６３  通信部、８１  データ受信部、８２  個人情報蓄積部、８３  個人情報読出部、８４  データ送信部、９１  ナビアプリケーション、２０１  車両ネットワーク、１０３  チャンネル制御部、１０４  リモコン受信部、９３，１０５  画面表示部、２０２  携帯電話基地局、２０３  一般電話公衆網、２０４  デジタル放送網、３０１，３０２，３０３，３０６，３０７，３１１  ユーザプロファイル情報、３０４ａ，３０４ｂ  施設情報、３０５  施設管理情報、３０８，３０９，３１０  送信情報、４０１  オープニング画面選択画面。
【図１】
0004626089.tif 000002
【図２】
0004626089.tif 000003
【図３】
0004626089.tif 000004
【図４】
0004626089.tif 000005
【図５】
0004626089.tif 000006
【図６】
0004626089.tif 000007
【図７】
0004626089.tif 000008
【図８】
0004626089.tif 000009
【図９】
0004626089.tif 000010
【図１０】
0004626089.tif 000011
【図１１】
0004626089.tif 000012
【図１２】
0004626089.tif 000013
【図１３】
0004626089.tif 000014
【図１４】
0004626089.tif 000015
【図１５】
0004626089.tif 000016